(57)【要約】【課題】固定側部材と可動側部材との間を連絡した配線部材の不規則な屈曲変形を抑制することが可能な遊技機の提供を目的とする。【解決手段】本発明のパチンコ遊技機１０は、遊技機本体８０と前面扉９０との間を連絡するケーブル１００のうち、本体側ケーブル引込口１１２と扉側ケーブル引込口９０との間のケーブル中間部１００Ａが、前面扉９０の回動に伴って屈曲変形すると共に、前面扉９０を閉じるとケーブル中間部Ａがケーブル収容部屋１１０に収容される。ガラス扉９０の後面にケーブル保持アーム１３０を回動可能に設けて、そのケーブル保持アーム１３０の先端部でケーブル中間部１００Ａを保持することで、前面扉９０の開閉時にケーブル中間部１００Ａの前後の動きを許容しかつ上下の動きを規制する。【選択図】図８
2012024377.tif 000002
【特許請求の範囲】
【請求項１】
固定側部品配設部材と、その固定側部品配設部材に移動可能に連結された可動側部品配設部材とに１対の電気的部品が組み付けられ、それら１対の電気的部品の間を電気接続する配線部材の中間部が、前記固定側部品配設部材に対する前記可動側部品配設部材の移動に伴って屈曲変形する遊技機において、
前記固定側部品配設部材とは別個に前記可動側部品配設部材に対して移動可能な可動部材を前記可動側部品配設部材に設け、前記固定側部品配設部材に対して前記可動側部品配設部材が移動したときに、前記可動部材が前記可動側部品配設部材に対して相対移動しながら前記配線部材の中間部を所定の障害領域を回避した回避軌道を描くようにガイドするように構成したことを特徴とする遊技機。
【請求項２】
前記障害領域は、前記固定側部品配設部材と前記可動側部品配設部材の間に配置され、前記固定側部品配設部材に対して前記可動側部品配設部材が移動したときに、前記配線部材の厚さより大きい状態から前記配線部材の厚さと略同等以下の大きさに狭まる空間であることを特徴とする請求項１に記載の遊技機。
【請求項３】
前記可動部材には、前記配線部材が固定され、前記可動側部品配設部材に対して前記可動部材が相対移動したときに所定の軌跡を描いて移動することで、前記配線部材の中間部を前記所定の障害領域を回避した回避軌道を描くようにガイドする配線固定部が設けられたことを特徴とする請求項１又は２に記載の遊技機。
【請求項４】
前記固定側部品配設部材に対して前記可動側部品配設部材が移動したときに、前記配線部材のうち前記配線固定部の両側部分が屈曲変形することを特徴とする請求項３に記載の遊技機。
【請求項５】
前記配線部材の中間部は、通常は、屈曲した状態になっていて、前記可動側部品配設部材には、前記配線部材の中間部における屈曲部分が、所定角を越えて直線状に向かうように伸ばされることを規制する阻止部材が備えられていることを特徴とする請求項１乃至４の何れか１の請求項に記載の遊技機。
【請求項６】
前記可動側部品配設部材が前記固定側部品配設部材に接近するように移動した際に、前記配線部材の一部が前記可動部材にガイドにされて、前記固定側部品配設部材に形成された収容空間に収納されることを特徴とする請求項１乃至５の何れか１の請求項に記載の遊技機。
【請求項７】
前記配線部材の中間部は、前記収容空間に収納された状態で屈曲した状態になっており、
前記可動部材は、前記配線部材の中間部における屈曲部分が前記障害領域の反対側に位置するようにガイドすることを特徴とする請求項６に記載の遊技機。
【請求項８】
前記収容空間の内面には、前記配線部材が当接する位置に弾性部材が取り付けられていることを特徴とする請求項６又は７に記載の遊技機。
【請求項９】
前記配線部材の周囲を覆い、前記固定側部品配設部材に対して前記可動側部品配設部材が相対移動したときに前記配線部材と共に屈曲可能な保護部材を備えたことを特徴とする請求項１乃至８の何れか１の請求項に記載の遊技機。
【請求項１０】
前記可動側部品配設部材は前記固定側部品配設部材に対して回動可能に連結され、前記配線部材は前記可動側部品配設部材の回動中心寄り位置に配置され、
前記可動部材は、前記配線部材の中間部が前記可動側部品配設部材の回動中心から側方に離れた軌道を描いて移動するようにガイドすることを特徴とする請求項１乃至９の何れか１の請求項に記載の遊技機。
【請求項１１】
遊技機本体と、その遊技機本体の一側部に回動可能に連結されて前記遊技機本体の前面を開閉可能な前面扉との間を連絡するケーブルの一部が、前記遊技機本体の前面のうち回動中心寄り位置に設けられて、前記前面扉の後面に向かって開放したケーブル収容部屋の奥側の本体側ケーブル処理部に配置される一方、前記ケーブルの他の一部が、前記前面扉の後面のうち回動中心寄り位置に設けられた扉側ケーブル処理部に配置され、前記前面扉の回動に伴って、前記ケーブルのうち前記本体側ケーブル処理部と前記扉側ケーブル処理部との間のケーブル中間部が屈曲変形すると共に、前記前面扉を閉じると前記扉側ケーブル処理部が前記ケーブル収容部屋に対向して前記ケーブル中間部が前記ケーブル収容部屋に収容される遊技機において、
前記前面扉の後面に基端部が回動可能に連結されて先端部が前後動可能な回動レバーと、
前記回動レバーの先端部に設けられて前記ケーブル中間部を保持し、前記ケーブル中間部の上下の動きを規制しかつ前後の動きを許容するレバー先端保持部とを備えたことを特徴とする遊技機。
【請求項１２】
前記ケーブル中間部に左右方向で折り返された折り返し屈曲部を設け、前記ケーブル中間部のうち前記折り返し屈曲部より前記扉側ケーブル処理部寄り位置を前記レバー先端保持部に固定したことを特徴とする請求項１１に記載の遊技機。
【請求項１３】
前記前面扉が閉じる方向に回動した場合に、前記回動レバーは前記レバー先端保持部が前記前面扉の回動中心とは反対側の位置に向かうように回動することを特徴とする請求項１２に記載の遊技機。
【請求項１４】
前記回動レバーには、前記前面扉の後面に回動可能に連結された前記基端部としてのレバー回動中心基端部と、
前記レバー回動中心基端部から水平方向に延びたレバー中間部と、
前記レバー中間部から上下方向に屈曲した前記先端部としてのレバー先端部と、
前記レバー先端部から前記遊技機本体側に突出し、前記ケーブル中間部を水平方向に貫通させた状態で保持した前記レバー先端保持部としてのケーブル保持リングとが設けられたことを特徴とする請求項１１乃至１３の何れか１の請求項に記載の遊技機。
【請求項１５】
前記前面扉が閉じたときに前記回動レバーはその長手方向が前記前面扉の後面と平行になるように配置されかつ、前記ケーブル中間部と共に前記ケーブル収容部屋に収納されるように構成したことを特徴とする請求項１１乃至１４の何れか１の請求項に記載の遊技機。
【発明の詳細な説明】
【技術分野】
【０００１】
本発明は、遊技機に関する。
【背景技術】
【０００２】
パチンコ遊技機に代表される遊技機は、一般に、遊技島に固定される遊技機本体の一側辺に、前面扉が回動可能に支持されている（例えば、特許文献１参照）。また、この種の遊技機では、図１２に示すように、遊技機本体１と前面扉２との間が配線部材３にて電気接続されていた。
【先行技術文献】
【特許文献】
【０００３】
【特許文献１】特開平５−３２９２６５号公報（段落［０００６］、第２図）
【発明の概要】
【発明が解決しようとする課題】
【０００４】
ところが、上述した従来の遊技機では、遊技機本体１と前面扉２との間で配線部材３が不規則に屈曲可能となっていた為、前面扉２を閉めるときに、例えば、配線部材３の中間部が上下に動いて正規の位置に戻らないことがあった。その為に、前面扉２を閉められなくなったり遊技機本体１と前面扉２との間で配線部材３を挟んで破損する虞があった。
【０００５】
本発明は、上記事情に鑑みてなされたものであって、固定側部材と可動側部材との間を連絡した配線部材の不規則な屈曲変形を抑制することが可能な遊技機の提供を目的とする。
【課題を解決するための手段】
【０００６】
上記目的を達成するためになされた請求項１の発明に係る遊技機は、固定側部品配設部材と、その固定側部品配設部材に移動可能に連結された可動側部品配設部材とに１対の電気的部品が組み付けられ、それら１対の電気的部品の間を電気接続する配線部材の中間部が、固定側部品配設部材に対する可動側部品配設部材の移動に伴って屈曲変形する遊技機において、固定側部品配設部材とは別個に可動側部品配設部材に対して移動可能な可動部材を可動側部品配設部材に設け、固定側部品配設部材に対して可動側部品配設部材が移動したときに、可動部材が可動側部品配設部材に対して相対移動しながら配線部材の中間部を所定の障害領域を回避した回避軌道を描くようにガイドするように構成したところに特徴を有する。
【０００７】
ここで、本発明における「移動」には「回動」、「直動」その他、固定側部品配設部材に対する可動側部品配設部材の位置が変化する動きが含まれる。
【０００８】
請求項２の発明は、請求項１に記載の遊技機において、障害領域は、固定側部品配設部材と可動側部品配設部材の間に配置され、固定側部品配設部材に対して可動側部品配設部材が移動したときに、配線部材の厚さより大きい状態から配線部材の厚さと略同等以下の大きさに狭まる空間であるところに特徴を有する。ここで「配線部材の厚さ」とは、屈曲していない状態での配線部材の厚さのことを意味する。
【０００９】
請求項３の発明は、請求項１又は２に記載の遊技機において、可動部材には、配線部材が固定され、可動側部品配設部材に対して可動部材が相対移動したときに所定の軌跡を描いて移動することで、配線部材の中間部を所定の障害領域を回避した回避軌道を描くようにガイドする配線固定部が設けられたところに特徴を有する。
【００１０】
請求項４の発明は、請求項３に記載の遊技機において、固定側部品配設部材に対して可動側部品配設部材が移動したときに、配線部材のうち配線固定部の両側部分が屈曲変形するところに特徴を有する。
【００１１】
請求項５の発明は、請求項１乃至４の何れか１の請求項に記載の遊技機において、配線部材の中間部は、通常は、屈曲した状態になっていて、可動側部品配設部材には、配線部材の中間部における屈曲部分が、所定角を越えて直線状に向かうように伸ばされることを規制する阻止部材が備えられているところに特徴を有する。
【００１２】
請求項６の発明は、請求項１乃至５の何れか１の請求項に記載の遊技機において、可動側部品配設部材が固定側部品配設部材に接近するように移動した際に、配線部材の一部が可動部材にガイドにされて固定側部品配設部材に形成された収容空間に収納されるところに特徴を有する。
【００１３】
請求項７の発明は、請求項６に記載の遊技機において、配線部材の中間部は、収容空間に収納された状態で屈曲した状態になっており、可動部材は、配線部材の中間部における屈曲部分が障害領域の反対側に位置するようにガイドするところに特徴を有する。
【００１４】
請求項８の発明は、請求項６又は７に記載の遊技機において、収容空間の内面には、配線部材が当接する位置に弾性部材が取り付けられているところに特徴を有する。
【００１５】
請求項９の発明は、請求項１乃至８の何れか１の請求項に記載の遊技機において、配線部材の周囲を覆い、固定側部品配設部材に対して可動側部品配設部材が相対移動したときに配線部材と共に屈曲可能な保護部材を備えたところに特徴を有する。
【００１６】
請求項１０の発明は、請求項１乃至９の何れか１の請求項に記載の遊技機において、可動側部品配設部材は固定側部品配設部材に対して回動可能に連結され、配線部材は可動側部品配設部材の回動中心寄り位置に配置され、可動部材は、配線部材の中間部が可動側部品配設部材の回動中心から側方に離れた軌道を描いて移動するようにガイドするところに特徴を有する。
【００１７】
請求項１１の発明に係る遊技機は、遊技機本体と、その遊技機本体の一側部に回動可能に連結されて遊技機本体の前面を開閉可能な前面扉との間を連絡するケーブルの一部が、遊技機本体の前面のうち回動中心寄り位置に設けられて、前面扉の後面に向かって開放したケーブル収容部屋の奥側の本体側ケーブル処理部に配置される一方、ケーブルの他の一部が、前面扉の後面のうち回動中心寄り位置に設けられた扉側ケーブル処理部に配置され、前面扉の回動に伴って、ケーブルのうち本体側ケーブル処理部と扉側ケーブル処理部との間のケーブル中間部が屈曲変形すると共に、前面扉を閉じると扉側ケーブル処理部がケーブル収容部屋に対向してケーブル中間部がケーブル収容部屋に収容される遊技機において、前面扉の後面に基端部が回動可能に連結されて先端部が前後動可能な回動レバーと、回動レバーの先端部に設けられてケーブル中間部を保持し、ケーブル中間部の上下の動きを規制しかつ前後の動きを許容するレバー先端保持部とを備えたところに特徴を有する。
【００１８】
請求項１２の発明は、請求項１１に記載の遊技機において、ケーブル中間部に左右方向で折り返された折り返し屈曲部を設け、ケーブル中間部のうち折り返し屈曲部より扉側ケーブル処理部寄り位置をレバー先端保持部に固定したところに特徴を有する。
【００１９】
請求項１３の発明は、請求項１２に記載の遊技機において、前面扉が閉じる方向に回動した場合に、回動レバーはレバー先端保持部が前面扉の回動中心とは反対側の位置に向かうように回動するところに特徴を有する。
【００２０】
請求項１４の発明は、請求項１１乃至１３の何れか１の請求項に記載の遊技機において、回動レバーには、前面扉の後面に回動可能に連結された基端部としてのレバー回動中心基端部と、レバー回動中心基端部から水平方向に延びたレバー中間部と、レバー中間部から上下方向に屈曲した先端部としてのレバー先端部と、レバー先端部から遊技機本体側に突出し、ケーブル中間部を水平方向に貫通させた状態で保持したレバー先端保持部としてのケーブル保持リングとが設けられたところに特徴を有する。
【００２１】
請求項１５の発明は、請求項１１乃至１４の何れか１の請求項に記載の遊技機において、前面扉が閉じたときに回動レバーはその長手方向が前面扉の後面と平行になように配置されかつ、ケーブル中間部と共にケーブル収容部屋に収納されるように構成したところに特徴を有する。
【発明の効果】
【００２２】
［請求項１及び２の発明］
請求項１の発明によれば、固定側部品配設部材に対して可動側部品配設部材が移動するときに、可動部材は、配線部材の中間部が、所定の障害領域を回避した回避軌道を描いて移動するようにガイドする。即ち、可動側部品配設部材が移動する際に、その移動の障害となり得る配線部材の中間部の不規則な屈曲変形を抑制することができる。
【００２３】
ここで、本発明における「障害領域」としては、「配線部材が擦れる領域」又は、「配線部材が引っ掛かる領域」又は、「配線部材が絡まる領域」又は、「配線部材の厚さより大きい状態から配線部材の厚さと略同等以下の大きさに狭まる空間」（請求項２の発明）が挙げられる。そして、請求項２の発明によれば、固定側部品配設部材と可動側部品配設部材の間に配線部材を挟んで破損することを抑制することができる。
【００２４】
［請求項３の発明］
請求項３の発明によれば、可動部材に備えた配線固定部の移動に追従して、配線部材の中間部が障害領域を回避した回避軌跡を描いて移動する。また、配線部材と可動部材とが常に連動可能となり、可動側部品配設部材の移動に伴う配線部材の動きと変形によって可動部材を動かすことができる。
【００２５】
［請求項４の発明］
請求項４の発明によれば、可動側部品配設部材が移動したときに、配線部材における配線固定部の両側部分が屈曲変形することにより、固定側部品配設部材と可動側部品配設部材の位置関係の変化を吸収することができ、配線部材と１対の電気的部品との接続解除を抑制することができる。
【００２６】
［請求項５の発明］
請求項５の発明によれば、配線部材の中間部が所定角を越えて直線状に伸ばされないようにすることができる。
【００２７】
［請求項６の発明］
請求項６の発明によれば、可動側部品配設部材が固定側部品配設部材に接近するように移動した場合に、配線部材を収容空間に逃がすことができる。これにより、可動側部品配設部材と固定側部品配設部材との接近による配線部材の圧迫を抑制することができる。
【００２８】
［請求項７の発明］
請求項７の発明によれば、配線部材の中間部における屈曲部分が、障害領域に進入することを抑制することができる。
【００２９】
［請求項８の発明］
請求項８の発明によれば、収容空間の内面との当接により配線部材が受ける負荷を軽減することが可能となる。
【００３０】
［請求項９の発明］
請求項９の発明によれば、固定側部品配設部材に対する可動側部品配設部材の移動に応じた配線部材の屈曲を許容しつつ配線部材を保護することができる。
【００３１】
［請求項１０の発明］
請求項１０の発明によれば、配線部材の中間部が可動側部品配設部材の回動中心側に巻き込まれることを防いで、可動側部品配設部材の回動妨害や、配線部材の破損を抑制することができる。
【００３２】
［請求項１１の発明］
請求項１１の発明によれば、前面扉が閉まるときに、回動レバーがケーブル中間部の前後の動きを許容しかつ上下の動きを規制するので、ケーブル中間部を確実にケーブル収容部屋内に戻すことができる。よって、遊技機本体と前面扉との間にケーブル中間部が挟まって前面扉が閉められなくなったり、ケーブルが破損するといった事態を抑制することができる。このように、本発明によれば、前面扉閉止の妨害となり得るケーブル中間部の不規則な屈曲変形を抑制することができる。また、前面扉が閉じたときに、ケーブル中間部をケーブル収容部屋に逃がすことができるから、前面扉と遊技機本体との間でのケーブル中間部の圧迫を抑制することができる。
【００３３】
［請求項１２の発明］
請求項１２の発明によれば、ケーブル中間部の折り返し屈曲部の位置や屈曲の大きさが変化することにより、遊技機本体と前面扉との位置関係の変化を吸収することができ、ケーブルと遊技機本体及び前面扉との接続解除を抑制することができる。
【００３４】
［請求項１３の発明］
請求項１３の発明によれば、前面扉が閉じる方向に回動した場合に、回動レバーがケーブルの折り返し屈曲部を前面扉の回動中心から遠ざけるようにガイドするから、前面扉の回動中心側にケーブル中間部が巻き込まれて前面扉が閉じられなくなったりケーブルが破損するといった事態を抑制することができる。
【００３５】
［請求項１４の発明］
請求項１４の発明によれば、前面扉が開閉する場合、レバー回動中心基端部を中心にして回動レバーが回動し、レバー先端部から突出した可動ケーブル保持リングが水平に旋回する。この可動ケーブル保持リングの動きにより、ケーブル中間部の前後の動きを許容しつつ、上下の動きを規制する。
【００３６】
［請求項１５の発明］
請求項１５の発明によれば、回動レバーはその長手方向が前面扉の後面と平行に配置された状態でケーブル収容部屋に収納されるから、ケーブル収容部屋の奥行寸法を抑えることができる。
【図面の簡単な説明】
【００３７】
【図１】本発明の一実施形態に係るパチンコ遊技機の正面図
【図２】ガラス扉が開放したパチンコ遊技機を斜め下方から見た斜視図
【図３】図２の点線円で囲まれた部分の拡大図
【図４】ガラス扉を開放したパチンコ遊技機を斜め上方から見た斜視図
【図５】図４の点線円で囲まれた部分の拡大図
【図６】ガラス扉の背面斜視図
【図７】図６の点線円で囲まれた部分の拡大図
【図８】（Ａ）ガラス扉全開時のケーブルの状態を示す平面図、（Ｂ）ガラス扉半開時のケーブルの状態を示す平面図、（Ｃ）ガラス扉閉止時のケーブルの状態を示す平面図
【図９】（Ａ）ケーブルガイドレバーの平面図、（Ｂ）ケーブルガイドレバーの側面図
【図１０】ケーブルクリップの平面図
【図１１】ケーブルの斜視図
【図１２】従来の遊技機の正面図
【発明を実施するための形態】
【００３８】
以下、本発明を適用したパチンコ遊技機１０に係る一実施形態を、図１〜図１１に基づいて説明する。パチンコ遊技機１０に備えた遊技板１１の前面には、ガイドレール１２が取り付けられ、その内側が略円形の遊技領域Ｒ１となっている。
【００３９】
図１に示すように、遊技領域Ｒ１のほぼ中央部には、表示装置１３が設けられ、表示装置１３の下方には、始動入賞口１４、大入賞口１５及びアウト口１６が、上から順に間隔を開けて並べて設けられている。遊技領域Ｒ１のうち、表示装置１３の左右両側には始動ゲート１８と風車１７とが備えられ、始動入賞口１４の左右両側には、一般入賞口２０、２１がガイドレール１２に沿って設けられている。さらに、これら入賞口以外に、遊技領域Ｒ１には図示しない複数の釘が起立している。また、パチンコ遊技機１０のうちアウト口１６より下方には、パチンコ遊技機１０の前面から膨出した上皿２７Ａが備えられ、さらに、その上皿２７Ａより下方には、パチンコ遊技機１０の前面から膨出した下皿２７Ｂが備えられている。
【００４０】
以下、遊技板１１の前面に備えた上記始動ゲート１８等を詳説しつつ、パチンコ遊技機１０の遊技内容について説明する。始動ゲート１８は、遊技球が潜って通過可能な門形構造をなしている。始動ゲート１８を遊技球が通過すると、表示装置１３の表示画面の一角部に表示された２桁の数字（普通図柄）が所定期間に亘って変動表示した後、停止表示する。また、普通図柄が変動表示している間に始動ゲート１８を通過した遊技球は、所定数（例えば、４つ）まで累積カウント（所謂「保留」）される。なお、保留数は、遊技領域Ｒ１に備えた保留数用のＬＥＤの点灯数によって遊技者に報知される。
【００４１】
始動入賞口１４は、共にポケット構造をなして上方に向かって開口している。始動入賞口１４の上面開口の左右両側には可動翼１４Ｃ，１４Ｃが備えられている。これら両可動翼１４Ｃ，１４Ｃは、常には起立状態になっており、両可動翼１４Ｃ，１４Ｃに挟まれた始動入賞口１４の開口幅も、遊技球を１つずつ受け入れる大きさになっている。普通図柄が当たりの組み合わせ（ゾロ目）で停止表示すると、可動翼１４Ｃ，１４Ｃが所定期間（例えば、０．５秒間）に亘って左右に倒される。可動翼１４Ｃ，１４Ｃが左右に倒れると、その倒れた可動翼１４Ｃ，１４Ｃに案内されて遊技球が始動入賞口１４に入賞可能となる。
【００４２】
始動入賞口１４に遊技球が入賞すると、「大当たり遊技」を行うか否かを決定する当否判定の権利が発生し、その当否判定結果が表示装置１３によって遊技者に報知される。具体的には、表示装置１３の表示画面には、通常、３つの左、中、右の特別図柄（図示せず）が横並びに表示されている。これら各特別図柄は、例えば、「０」〜「９」の数字を表記した複数種類のもので構成されており、通常は、左、中、右の各特別図柄ごと、所定の種類のものが停止表示されている。そして、始動入賞口１４に遊技球が入賞したときに、これら３つの特別図柄が、変動表示（上下方向にスクロール表示）され、所定時間後に、例えば、左、中、右の順で各特別図柄が停止表示される。このとき、例えば、全ての特別図柄が同じ図柄、即ち、ゾロ目になった場合に、遊技が「通常遊技」から「大当たり遊技」に移行する。
【００４３】
ここで、表示装置１３にて特別図柄が変動表示している最中又は「大当たり遊技」の最中に始動入賞口１４に入賞した遊技球の数は、所定の限度数まで累積カウント（所謂「保留」）され、特別図柄が外れの図柄組み合わせで停止表示又は「大当たり遊技」が終了すると、その保留記憶に基づいて再び、特別図柄の変動表示が開始される。なお、保留数は、遊技領域Ｒ１に備えた保留数用のＬＥＤの点灯数によって遊技者に報知される。
【００４４】
大入賞口１５は、遊技板１１の前面に開放して横長形状をなしており、常には、可動扉１５Ｔにて閉塞されている。そして、上記したように特別図柄がゾロ目で停止表示した場合に、可動扉１５Ｔが前側に倒れて大入賞口１５が開放し、可動扉１５Ｔをガイドにして大入賞口１５に遊技球が入賞可能になる。ここで、可動扉１５Ｔが開放してから閉じるまでの間を「ラウンド」と称すると、１つのラウンドは、可動扉１５Ｔの開放時間が３０秒に達したか、又は、大入賞口１５に遊技球が１０個入賞したか、の何れかの終了条件が先に満たされた場合に終了する。また、「大当たり遊技」は、最大で、例えば１５ラウンドまで継続される。
【００４５】
大入賞口１５の内部には、図示しないが継続入賞口と計数入賞口とが設けられている。可動扉１５Ｔが開いたときには、継続入賞口は開放しており、継続入賞口に入賞すると継続入賞口が閉鎖される一方、計数入賞口は開放されたままとなる。継続入賞口に遊技球の入賞を検出すると、前述した終了条件を満たしてラウンドが終了した後で、連続して次のラウンドが実行される。また、計数入賞口に遊技球の入賞を検出すると、継続入賞口への入賞球と合わせて、大入賞口１５への入賞球がカウントされ、これらが前記したように計１０個に達したか否かがチェックされる。
【００４６】
なお、各入賞口１４，１５，２０，２１に遊技球が入賞すると、賞球として所定数の遊技球が上皿２７Ａに払い出される。また、大入賞口１５に遊技球が入賞したときには、他の入賞口１４，２０，２１への入賞時よりも多くの遊技球が払い出される。以上が、遊技板１１及び遊技内容に関する説明である。
【００４７】
図２に示すように、遊技板１１は本体枠７０に嵌め込まれており、その本体枠７０は外枠８２に嵌め込まれている。これら遊技板１１と本体枠７０と外枠８２とから遊技機本体８０が構成されている。なお、遊技機本体８０は、本発明の「固定側部品配設部材」に相当する。
【００４８】
外枠８２は、縦長矩形状の木枠で構成されており、パチンコホールの遊技島に固定されている。本体枠７０は、上下方向が外枠８２より短い縦長矩形状になっており、正面視左側辺が外枠８２に対して回動可能に連結されている。本体枠７０の下端寄り部分は部品取付部７１となっており、ここに図示しない発射装置や回路基盤等の各種部品が組み付けられている。本体枠７０のうち部品取付部７１の上方部分は遊技板取付部７２となっている。遊技板取付部７２は前後方向に貫通した枠形構造をなしており、ここに遊技板１１が嵌め込まれている。
【００４９】
本体枠７０の正面視右下角部には、上皿２７Ａに貯留された遊技球を遊技領域Ｒ１に発射するための操作ノブ２８が配置されている。また、操作ノブ２８の取付部分を除く本体枠７０の前面には、下皿扉６０とガラス扉９０とが重ねて取り付けられて本体枠７０の前面が覆われている。なお、ガラス扉９０及び下皿扉６０は、本発明の「前面扉」及び「可動側部品配設部材」に相当する。
【００５０】
下皿扉６０は、本体枠７０の下辺に沿って延びた横長構造をなしており、前面に下皿２７Ｂが設けられている。下皿扉６０は、本体枠７０の正面視左側辺から前方に張り出した上下対向のヒンジ片８５，８６（図２参照）によって回動可能に連結されており、本体枠７０の前面に重ねられた閉止状態で、本体枠７０における部品取付部７１の下半分を前面から覆っている。
【００５１】
ガラス扉９０は略矩形枠状をなしており、本体枠７０のうち下皿扉６０より上側全体を覆っている。ガラス扉９０は、下皿扉６０と同様に本体枠７０の正面視左側辺に回動可能に連結されている。詳細には、本体枠７０の左側辺から前方に張り出した上下対向のヒンジ片８４，８５（図２参照）の間にガラス扉９０の左側辺が挟まれた状態で連結されている。なお、図２及び図４に示すように、本体枠７０の正面視右側辺には、ガラス扉係止具７４，７４が備えられており、ガラス扉９０の正面視右側辺に備えた係止片９９，９９と係止可能となっている。これにより、ガラス扉９０を本体枠７０の前面に重ね合わせた閉止状態（図１に示す状態）に維持することができる。なお、ガラス扉９０は閉止状態から所定の開放角度以上に回動することが禁止されている。
【００５２】
ガラス扉９０の中央部には、遊技領域Ｒ１に対応した遊技窓９０Ｗが貫通形成されている。遊技窓９０Ｗは透明なガラス板９６にて塞がれており、そのガラス板９６を通して遊技領域Ｒ１をパチンコ遊技機１０の前面から視認することができる（図１参照）。
【００５３】
ガラス扉９０の前面のうち遊技窓９０Ｗの下方には上皿２７Ａが設けられている。また図示しないが、上皿２７Ａには遊技に使用するための遊技ボタン及び球移動ボタンが備えられている。そして、球移動ボタンを押すと、本体枠７０に備えた図示しない球通路を通って上皿２７Ａから下皿２７Ｂに遊技球が移動する。
【００５４】
さらに、ガラス扉９０の前面には遊技窓９０Ｗを囲むように装飾ランプ９７が設けられており（図４参照）、ガラス扉９０の前面の上端両角部にはスピーカ９８，９８が設けられている（図１参照）。これら装飾ランプ９７やスピーカ９８，９８等の電気部品は、ガラス扉９０に内蔵された扉側中継基盤９０Ａ（図８参照）と電気的に接続されている。そして、扉側中継基盤９０Ａと本体枠７０に備えた本体側中継基盤７０Ａとの間が、例えば、通信用及び給電用のケーブル１００（本発明の「配線部材」に相当する）によって接続されている。なお、本体側中継基盤７０Ａ及び扉側中継基盤９０Ａは、本発明に係る「１対の電気的部品」に相当する。
【００５５】
図１１に示すように、ケーブル１００は、複数本の絶縁電線の両端部を共通のコネクタ１０１，１０１にて束ねた構造であり、自在に変形可能となっている。また、ケーブル１００の外側は、ケーブル１００と共に自在に変形可能な樹脂チューブ１０５（具体的には、コルゲートチューブ又はスパイラルチューブ）にて覆われている。この樹脂チューブ１０５によりケーブル１００が保護されている。なお、樹脂チューブ１０５は、本発明の「保護部材」に相当する。ケーブル１００を樹脂チューブ１０５で覆わず剥き出しのまま使用することも可能である。
【００５６】
本体側中継基盤７０Ａは、例えば、遊技機本体８０の後面側に備えた図示しない電源装置や制御回路基盤等に接続され、本体枠７０の部品取付部７１に取り付けられている。詳細には、図８に示すように、部品取付部７１のうち、ガラス扉９０の回動中心Ｑ１寄り位置にはケーブル収容部屋１１０が設けられており、本体側中継基盤７０Ａはそのケーブル収容部１１０の裏側に配設されている（図８参照）。
【００５７】
ケーブル収容部屋１１０は、左右方向に延びかつ前方（ガラス扉９０の後面）に向かって開放している。ケーブル収容部屋１１０の奥壁１１１のうち、ガラス扉９０の回動中心Ｑ１寄り位置には、奥壁１１１を前後方向に貫通した本体側ケーブル引込口１１２（本発明の「本体側ケーブル処理部」に相当する）が貫通形成されている。この本体側ケーブル引込口１１２から、ケーブル収容部屋１１０の裏側にケーブル１００が引き込まれており、そのケーブル１００の一端部（コネクタ１０１）が本体側中継基盤７０Ａにコネクタ接続されている。なお、本体側ケーブル引込口１１２の近傍位置で、結束バンド、ステープル又は後述するケーブルクリップ１４０等の配線固定部材によりケーブル１００を固定してもよい。
【００５８】
図６に示すように、ガラス扉９０の後面における回動中心Ｑ１寄り位置には、本体枠７０の前面に向かって開放した扉側ケーブル引込口９２（本発明の「扉側ケーブル処理部」に相当する）が貫通形成されている。扉側ケーブル引込口９２はガラス扉９０の下端寄り位置に配設され、ガラス扉９０を閉めた状態でケーブル収容部屋１１０と重なり合うようになっている（図８（Ｃ）参照）。この扉側ケーブル引込口９２からガラス扉９０の内部にケーブル１００が引き込まれており、そのケーブル１００の他端部（コネクタ１０１）が、ガラス扉９０に内蔵された扉側中継基盤９０Ａにコネクタ接続されている。なお、扉側ケーブル引込口９２の近傍位置で、結束バンド、ステープル又は後述するケーブルクリップ１４０等の配線固定部材によりケーブル１００を固定してもよい。
【００５９】
そして、ガラス扉９０が本体枠７０に対して開閉動作したときにケーブル１００の余長部分、即ち、扉側ケーブル引込口９２と本体側ケーブル引込口１１２との間の中間部１００Ａ（以下、「ケーブル中間部１００Ａ」という）が屈伸動作を行うことで、本体枠７０に対するガラス扉９０の位置変化を吸収して、各中継基盤７０Ａ，９０Ａとケーブル１００とのコネクタ接続が維持されるようになっている。
【００６０】
詳細には、図８（Ｃ）に示すように、ガラス扉９０を本体枠７０の前面に重ね合わせた閉止時は、ケーブル中間部１００Ａが左右方向でヘアピン状に１回折り返された状態でケーブル収容部屋１１０に収納される。この状態からガラス扉９０を開く方向に回動（開放動作）させると、図８（Ｃ）から同図（Ｂ）さらには同図（Ａ）への変化に示すように、ヘアピン状に折り返された折り返し屈曲部１００Ｂを伸ばしながら、ケーブル中間部１００Ａがケーブル収容部屋１１０の前方に向かって移動する。これとは逆に、開いたガラス扉９０を閉まる方向に回動（閉止動作）させると、図８（Ａ）から同図（Ｂ）さらには同図（Ｃ）への変化に示すように、折り返し屈曲部１００Ｂを折り曲げながら、ケーブル中間部１００Ａがケーブル収容部屋１１０に向かって移動する。そして、このようなガラス扉９０の開閉に伴うケーブル中間部１００Ａの動作（移動及び変形）を安定して行わせるために、次述するケーブルガイドレバー１３０が設けられている。
【００６１】
図３に示すように、ガラス扉９０の後面のうち、扉側ケーブル引込口９２の側方位置にはヒンジ部９３が突設されており、そのヒンジ部９３に、ケーブルガイドレバー１３０（本発明の「可動部材」、「回動レバー」に相当する）が回動可能に軸支されている。ヒンジ部９３は、扉側ケーブル引込口９２を挟んでガラス扉９０の回動中心Ｑ１とは反対側に設けられており、その回転軸Ｊ１がガラス扉９０の回転軸と平行な垂直軸となっている（図９（Ｂ）参照）。ケーブルガイドレバー１３０は片持ち状態でヒンジ部９３に水平支持され（図３及び図５参照）、回転軸Ｊ１回りで往復回動可能となっている。
【００６２】
図９に示すように、ケーブルガイドレバー１３０は、ヒンジ部９３と連結した基端部とは反対の先端部にケーブル中間部１００Ａを保持するためのケーブルクリップ１４０（図１０参照）を備えている。詳細には、図９（Ｂ）に示すように、ケーブルガイドレバー１３０は、基端部からガラス扉９０の回動中心Ｑ１とは反対側に延びたレバー中間部１３０Ｂと、レバー中間部１３０Ｂの先端から下方に屈曲したレバー先端部１３０Ｃとを備え、それらが一体成形されている。レバー中間部１３０Ｂは、レバー先端部１３０Ｃ寄り位置で、下方にクランク状に屈曲している。ケーブルクリップ１４０はレバー先端部１３０Ｃに組み付けられて本体枠７０に向かって突出している。なお、ケーブルガイドレバー１３０の基端部（ヒンジ部９３との連結部分）は、本発明の「レバー回動中心基端部」に相当する。
【００６３】
ケーブルクリップ１４０は、図１０に示すように、１対の平行直線部１４１Ａ，１４１Ｂの基端部間を連絡直線部１４１Ｃで連絡した角Ｕ字形のクリップ本体１４１と、一方の平行直線部１４１Ａの先端にヒンジ部１４２を介して連結された係止レバー１４３とを備えている。そして、係止レバー１４３をヒンジ部１４２で折り曲げてその先端を他方の平行直線部１４１Ｂの先端に係止させ、矩形リング状にすることで、その内側にケーブル中間部１００Ａを水平方向に貫通させた状態で保持することが可能となっている。ここで、係止レバー１４３の先端は、Ｖ字バネとなっており、そのＶ字バネを圧縮操作することで、係止レバー１４３と平行直線部１４１Ｂとの係止を解除して、ケーブルクリップ１４０によるケーブル１００の保持を解除することができる。なお、ケーブルクリップ１４０は、本発明の「配線固定部」、「レバー先端保持部」、「ケーブル保持リング」に相当する。
【００６４】
クリップ本体１４１の連絡直線部１４１Ｃには、アーチ状に湾曲した可撓板１４４の頂点部分が接続され、その可撓板１４４の頂点の裏側から矢尻形の弾性リベット１４５が突出している。一方、レバー先端部１３０Ｃは、図９（Ｂ）に示すように、ケーブルガイドレバー１３０の長手方向（水平方向）で対向した１対の対向壁１３５，１３５の間を、それら対向壁１３５，１３５と直交した中間壁１３６にて連絡した「Ｈ」形構造をなしている。
【００６５】
そして、１対の対向壁１３５，１３５の間に可撓板１４４が嵌め込まれると共に、中間壁１３６に形成された貫通孔１３６Ａ（図９（Ｂ）参照）に弾性リベット１４５が押し込まれて、弾性リベット１４５と可撓板１４４との間で中間壁１３６を挟むことで、レバー先端部１３０Ｃにケーブルクリップ１４０が固定されている。
【００６６】
図７及び図８（Ｃ）に示すように、ケーブルガイドレバー１３０は、ガラス扉９０が閉止状態のときに、ガラス扉９０の後面と平行に配置されて、ケーブル中間部１００Ａと共にケーブル収容部屋１１０に収納される。このとき、ケーブル中間部１００Ａの取り廻し状態は以下のようになっている。即ち、ケーブル中間部１００Ａは、本体側ケーブル引込口１１２からケーブル収容部屋１１０内に出てガラス扉９０の回動中心Ｑ１とは逆方向に向かい、ケーブル収容部屋１１０の左右方向の一端でヘアピン状に折り返されてガラス扉９０の回動中心Ｑ１に向かって延び、ケーブル収容部屋１１０の前面開口を介してガラス扉９０の扉側ケーブル引込口９２に引き込まれている。また、ケーブル中間部１００Ａは、折り返し屈曲部１００Ｂより扉側ケーブル引込口９２寄り部分でケーブルクリップ１４０を水平方向に貫通しており、その貫通部分でケーブルクリップ１４０に保持されている。
【００６７】
ここで、ガラス扉９０を閉止状態にしたときには、ケーブル中間部１００Ａの折り返し屈曲部１００Ｂが、ケーブル収容部屋１１０の奥壁１１１に当接し得る。これに対し、奥壁１１１には薄板状の弾性部材１１６（例えば、ゴム）が配設されており、折り返し屈曲部１００Ｂを弾性部材１１６で受けることで、折り返し屈曲部１００Ｂの負荷を軽減するようになっている。また、図５に示すように、ガラス扉９０の後面のうち、閉止状態にしたときにケーブルガイドレバー１３０のレバー先端部１３０Ｃと重なる位置にも薄板状の弾性部材９５が配設されている。この弾性部材９５は、レバー先端部１３０Ｃの中間壁１３６を貫通した弾性リベット１４５と当接する（図９（Ａ）参照）。
【００６８】
ガラス扉９０の後面には、ガラス扉９０の開放に伴うケーブルガイドレバー１３０の回動限界を規定するための阻止部材９４（図９参照）が突設されている。阻止部材９４は、扉側ケーブル引込口９２とヒンジ部９３との間に配設されており、ケーブルガイドレバー１３０の基端寄り部分と当接することで、ケーブルガイドレバー１３０を図８（Ａ）に示す回動限界位置（例えば、閉止状態から約１００度回動した位置）で押し止める。これにより、ケーブル中間部１００Ａにおける折り返し屈曲部１００Ｂが、所定角を越えて直線状に伸ばされることがないようになっている。
【００６９】
なお、上述したヒンジ部９３、阻止部材９４及び弾性部材９５は、ガラス扉９０の後面に敷設された台板９１に一体に設けられている。
【００７０】
本実施形態の構成に関する説明は以上である。次に、本実施形態の作用効果について説明する。パチンコ遊技機１０の釘調整を行う場合や遊技板１１の役物に不具合が生じた場合には、閉止状態のガラス扉９０が開かれる。ガラス扉９０を開く方向に回動させると、ケーブル収容部屋１１０内で折り畳まれていたケーブル中間部１００Ａが、ケーブルガイドレバー１３０の案内によってケーブル収容部屋１１０の前方に引き出される。即ち、図８（Ｃ）から同図（Ｂ）さらに同図（Ａ）への変化に示すように、ガラス扉９０の開放角度が大きくなるのに従って、折り返し屈曲部１００Ｂの屈曲角度が緩和され、ケーブル中間部１００Ａが前後方向に拡開しながら前方に移動する。
【００７１】
ケーブルガイドレバー１３０は、上記したケーブル中間部１００Ａの動き（移動及び変形）に応じて、ガラス扉９０の後面側で水平に回動する。詳細には、ガラス扉９０の開放角度が大きくなるのに従って、ケーブルガイドレバー１３０がガラス扉９０の後面から起き上がるように回動し、ケーブルガイドレバー１３０の先端部に備えたケーブルクリップ１４０が、ガラス扉９０の後面から離れていく。即ち、ガラス扉９０の開放角度が大きくなるとガラス扉９０に対するケーブルガイドレバー１３０の回動角度も大きくなる。そして、このケーブルガイドレバー１３０がケーブル中間部１００Ａを保持しているので、ガラス扉９０が開放動作するときにケーブル中間部１００Ａの前方への移動が許容される一方で、上下の動きが規制される。また、ガラス扉９０の開放動作に伴ない、折り返し屈曲部１００Ｂが、ガラス扉９０の回動中心Ｑ１から側方に離れた移動軌跡を描くようにケーブル中間部１００Ａをガイドするので、ガラス扉９０の回動中心Ｑ１側の隙間Ｓ１（図５参照）にケーブル中間部１００Ａを巻き込むことを防ぐことができる。
【００７２】
図８（Ａ）に示すようにガラス扉９０を全開にして釘調整又は遊技板１１の不具合への対処を終えた後、ガラス扉９０を閉まる方向に回動させると、ケーブル中間部１００Ａが、ケーブルガイドレバー１３０の案内によって変形及び移動してケーブル収容部屋１１０内に収納される。詳細には、図８（Ａ）から同図（Ｂ）さらに同図（Ｃ）への変化に示すように、ガラス扉９０の開放角度が小さくなるのに従って、折り返し屈曲部１００Ｂの屈曲角度が次第に小さくなると共に、その折り返し屈曲部１００Ｂが斜め後方に移動する。即ち、ケーブル中間部１００Ａは、前後方向で折り畳まれながらケーブル収容部屋１１０に向かって移動する。また、図８（Ａ）に示すように、ガラス扉９０の後面から起き上がった状態のケーブルガイドレバー１３０は、同図（Ｂ）への変化に示すように、ケーブルクリップ１４０がガラス扉９０の回動中心Ｑ１とは反対側に向かうように回動して、徐々にガラス扉９０の後面に向かって倒されていく。即ち、ガラス扉９０の開放角度が小さくなると、ガラス扉９０に対するケーブルガイドレバー１３０の回動角度も小さくなる。
【００７３】
ガラス扉９０の閉止動作時も、ケーブルガイドレバー１３０でケーブル中間部１００Ａを保持しているので、ケーブル中間部１００Ａの後方（ケーブル収容部屋１１０）への移動が許容される一方で、上下の動きが規制される。よって、ケーブル収容部屋１１０の前面開口縁とガラス扉９０の後面との間でケーブル中間部１００Ａを挟むことなく確実にケーブル収容部屋１１０内に戻すことができる。また、ガラス扉９０の閉止動作に伴ない、折り返し屈曲部１００Ｂが、ガラス扉９０の回動中心Ｑ１の側方に離れた移動軌跡を描いて移動するようにケーブル中間部１００Ａをガイドするので、ガラス扉９０の回動中心Ｑ１側の隙間Ｓ１（図５参照）にケーブル中間部１００Ａを巻き込むことを防ぐことができる。なお、ケーブル収容部屋１１０の前面開口の外側領域及び回動中心Ｑ１側の隙間Ｓ１は、本発明に係る「障害領域」に相当する。
【００７４】
図８（Ｃ）に示すように、ガラス扉９０が本体枠７０の前面に重ね合わされて閉止状態になると、折り返し屈曲部１００Ｂを約１８０度折り返した状態で、ケーブル中間部１００Ａの全体がケーブル収容部屋１１０内に収納される。また、ケーブルガイドレバー１３０はその長手方向がガラス扉９０の後面と平行に倒された状態になって、ケーブル中間部１００Ａと共にケーブル収容部屋１１０に収納される。さらに、ケーブル１００の折り返し屈曲部１００Ｂは、ケーブル収容部屋１１０の奥壁１１１に配設された弾性部材１１６にて受け止められる。
【００７５】
このように本実施形態によれば、ガラス扉９０が閉まるときに、ケーブル中間部１００Ａの前後の動きを許容する一方で上下の動きを規制するので、ケーブル中間部１００Ａを確実にケーブル収容部屋１１０内に戻すことができる。また、ガラス扉９０が開閉するときに、折り返し屈曲部１００Ｂをガラス扉９０の回動中心Ｑ１の側方に離した状態に保持するから、ガラス扉９０の回動中心Ｑ１側にケーブル中間部１００Ａを巻き込むことを防ぐことができる。従って、ケーブル中間部１００Ａの不規則な屈曲変形により、ガラス扉９０が閉められなくなったり、遊技機本体８０とガラス扉９０との間にケーブル中間部１００Ａを挟んで破損することを防ぐことができる。
【００７６】
また、ケーブルガイドレバー１３０でケーブル中間部１００Ａを保持してガイドするようにしたことで、ガラス扉９０を閉める際に、ケーブル中間部１００Ａを手で支えたりケーブル中間部１００Ａの不規則な動きに注意を払う必要が無くなり作業性が向上する。
【００７７】
また、ガラス扉９０を閉めたときにケーブル中間部１００Ａをケーブル収容部屋１１０に逃がすことができるから、ガラス扉９０と遊技機本体８０との間でのケーブル中間部１００Ａの圧迫を防ぐことができる。
【００７８】
さらに、ケーブル中間部１００Ａは左右方向で約１８０度折り返された状態でケーブル収容部屋１１０に収納されかつ、ケーブルガイドレバー１３０は、その長手方向がガラス扉９０の後面と平行になるように寝かされた状態でケーブル収容部屋１１０に収納されるから、ケーブル収容部屋１１０の奥行寸法を極力抑えることができる。換言すれば、ケーブル中間部１００Ａとケーブルガイドレバー１３０とを前後方向でコンパクトに纏めてケーブル収容部屋１１０に収納することができる。
【００７９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８０】
（１）前記実施形態ではパチンコ遊技機１０に本発明を適用していたが、遊技機本体と前面扉との間がケーブル１００にて連絡されている他の遊技機（例えば、コイン遊技機やスロットマシン等）に本発明を適用してもよい。
【００８１】
（２）前記実施形態では、遊技機本体８０（本体枠７０）とガラス扉９０との間がケーブル１００にて連結された遊技機に本発明を適用していたが、遊技機本体８０と下皿扉６０との間がケーブル１００にて連結された遊技機に本発明を適用してもよい。
【００８２】
（３）前記実施形態では、本体側中継基盤７０Ａがケーブル収容部屋１１０の後側に設けられていたが、ケーブル収容部屋１１０の奥壁１１１（例えば、本体側ケーブル引込口１１２の位置）に本体側中継基盤７０Ａを設けてもよい。また、前記実施形態では、扉側中継基盤９０Ａがガラス扉９０の内部に配置されていたが、ガラス扉９０の後面（例えば、扉側ケーブル引込口９２）の位置に扉側中継基盤９０Ａを設けてもよい。このとき、本体側中継基盤７０Ａ、扉側中継基盤９０Ａは、本発明の「本体側ケーブル処理部」、「扉側ケーブル処理部」に相当する。
【００８３】
（４）前記実施形態においてケーブル１００は、ガラス扉９０と遊技機本体８０とを電気接続するためのものであったが、ガラス扉９０と遊技機本体８０とを繋ぎ止めるためのケーブルでもよい。
【００８４】
（５）前記実施形態では、ガラス扉９０の下端部と遊技機本体８０との間をケーブル１００で接続した遊技機に本発明を適用していたが、ガラス扉９０の上端部又は上下方向の中間部と遊技機本体８０との間をケーブル１００で接続した遊技機に本発明を適用してもよい。
【００８５】
（６）前記実施形態では、本発明の「配線部材」（ケーブル１００）にて接続される「電気的部品」の一例として本体側中継基盤７０Ａ及び扉側中継基盤９０Ａを例示したが、「電気的部品」は基盤に限定するものではなく、例えば、モータやソレノイドでもよい。
【００８６】
（７）前記実施形態では、遊技機本体８０と遊技機本体８０に対して回動可能なガラス扉９０との間をケーブル１００にて連絡したパチンコ遊技機１０に本発明を適用していたが、「固定側部品配設部材」に対して回動以外の移動（直動、傾動等）が可能な「可動側部品配設部材」を連結し、それら「固定側部品配設部材」と「可動側部品配設部材」との間を「配線部材」で連絡した遊技機に本発明を適用してもよい。例えば、「固体側部品配設部材」としての遊技板と、遊技板に直動可能に連結された「可動側部品配設部材」としての電動役物とを備えた遊技機に本発明を適用してもよい。または、例えば、「固定側部品配設部材」としての本体枠と、本体枠に移動可能に連結された「可動側部品配設部材」としての基盤ケースとを備えた遊技機に本発明を適用してもよい。
【００８７】
（８）前記実施形態では、ケーブルガイドレバー１３０が、ガラス扉９０の回転軸と平行な回転軸Ｊ１回りで前後動するように構成されていたが、ケーブルガイドレバー１３０がガラス扉９０の回転軸と直交した水平軸回り、或いは、ガラス扉９０の回転軸に対して傾斜した軸回りで前後動するようにしてもよい。
【００８８】
（９）前記実施形態では、ケーブル収容部屋１１０を本体枠７０（遊技機本体）に設けていたが、ガラス扉９０（前面枠）に設けてもよい。また、本体枠７０（遊技機本体）とガラス扉９０（前面扉）との双方に、ケーブル収容部屋１１０を前後方向でニ分割した半割部屋を設けると共に、ガラス扉９０の半割部屋内にケーブルガイドレバー１３０を設けておき、ガラス扉９０が閉止したときに、それら半割部屋同士が合体してケーブル収容部屋１１０を形成するようにしてもよい。
【符号の説明】
【００８９】
１０    パチンコ遊技機
７０Ａ    本体側中継基盤（電気的部品）
８０    遊技機本体（固定側部品配設部材）
９０    ガラス扉（可動側部品配設部材、前面扉）
９０Ａ    扉側中継基盤（電気的部品）
９２    扉側ケーブル引込口（扉側ケーブル処理部）
９４    阻止部材
１００    ケーブル（配線部材）
１００Ａ    ケーブル中間部
１００Ｂ    折り返し屈曲部
１０５    樹脂チューブ（保護部材）
１１０    ケーブル収容部屋（収容空間）
１１２    本体側ケーブル引込口（本体側ケーブル処理部）
１１６    弾性部材
１３０    ケーブルガイドレバー（可動部材、回動レバー）
１３０Ｂ    レバー中間部
１３０Ｃ    レバー先端部
１４０    ケーブルクリップ（配線固定部、レバー先端保持部、ケーブル保持リング）
【図１】
2012024377.tif 000003
【図２】
2012024377.tif 000004
【図３】
2012024377.tif 000005
【図４】
2012024377.tif 000006
【図５】
2012024377.tif 000007
【図６】
2012024377.tif 000008
【図７】
2012024377.tif 000009
【図８】
2012024377.tif 000010
【図９】
2012024377.tif 000011
【図１０】
2012024377.tif 000012
【図１１】
2012024377.tif 000013
【図１２】
2012024377.tif 000014